【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
観察システムを用いて、試料の観察像を取得する方法であって、以下の工程を具備する：
（ａ）  観察システムを用意する工程、ここで
観察システムは、観察ユニットおよびコンピュータを含み、
観察ユニットは、
試料が収容された容器が裁置される裁置台、
試料の観察像を取得することが可能な観察装置、および
試料を照明する照明装置
を具備し、
コンピュータはメモリを具備し、
（ｂ）  裁置台に、試料が収容された容器を裁置する工程、
（ｃ１）  照明装置が試料を照明しながら裁置台を移動させ、観察装置を用いて試料を探索する工程
（ｃ２）  工程（ｃ１）において探索された試料の座標をメモリに記録する工程
（ｃ３）  照明装置を消灯する工程、
（ｄ１）  照明装置が消灯されたまま、メモリから読み出された試料の座標に基づいて裁置台を移動させる工程、
（ｄ２）  照明装置を点灯する工程、ここで、
工程（ｄ２）において照明装置に設定される照度は、工程（ｃ１）において照明装置に設定される照度よりも高く、
（ｄ３）  観察装置のオートフォーカス制御を実行する工程、
（ｄ４）  観察像の平均輝度が所定範囲の輝度になっていなければ、観察装置のシャッタ速度を調整する工程、
（ｄ５）  観察装置を用いて試料の観察像を取得する工程、
（ｄ６）  照明装置を消灯する工程、そして
（ｅ）  所定期間経過後、工程（ｄ１）〜工程（ｄ６）を繰り返す工程。
【請求項２】
請求項１に記載の方法であって、
工程（ｃ２）において、工程（ｃ１）において探索された試料に関するズーム倍率がメモリに記憶され、かつ
工程（ｄ５）において、メモリに記憶されたズーム倍率に基づいて試料の観察像が取得される。
【請求項３】
請求項１に記載の方法であって、
工程（ｃ２）において、工程（ｃ１）において探索された試料に関するフォーカス位置がメモリに記憶され、かつ
工程（ｄ５）において、メモリに記憶されたフォーカス位置に基づいて試料の観察像が取得される。
【請求項４】
請求項２に記載の方法であって、
工程（ｃ２）において、工程（ｃ１）において探索された試料に関するフォーカス位置がメモリに記憶され、かつ
工程（ｄ５）において、メモリに記憶されたフォーカス位置に基づいて試料の観察像が取得される。
【請求項５】
請求項２に記載の方法であって、
工程（ｄ２）において、メモリに記憶されたズーム倍率に基づいて照明装置の照度を調整する。
【請求項６】
請求項１に記載の方法であって、
工程（ｃ１）において、観察装置のシャッタ速度が観察装置において設定可能な範囲の下限値に設定されている。
【請求項７】
試料の観察像を取得する観察システムであって、
観察システムは観察ユニットおよびコンピュータを含み、
観察ユニットは、
試料が収容された容器が裁置される裁置台、
試料の観察像を取得することが可能な観察装置、および
試料を照明する照明装置
を具備し、
コンピュータはメモリを具備し、
コンピュータは、第１制御部および第２制御部を具備し、
第１制御部は、
照明装置が試料を照明しながら裁置台を移動させ、観察装置を用いて試料を探索し
探索された試料の座標をメモリに記録し、かつ
照明装置を消灯し、
第２制御部は、
照明装置が消灯されたまま、メモリから読み出された試料の座標に基づいて裁置台を移動させ、
第１制御部が照明装置に設定する照度よりも高い照度で照明装置を点灯させ、
観察装置のオートフォーカス制御を実行し、
観察像の平均輝度が所定範囲の輝度になっていなければ、観察装置のシャッタ速度を調整し、
観察装置を用いて試料の観察像を取得し、かつ
照明装置を消灯する、観察システム。
【請求項８】
観察システムを用いて、複数の試料の観察像を取得する方法であって、以下の工程を具備する：
（ａ）  観察システムを用意する工程、ここで
観察システムは、観察ユニットおよびコンピュータを含み、
観察ユニットは、
複数の試料が収容された容器が裁置される裁置台、
試料の観察像を取得することが可能な観察装置、および
複数の試料を照明する照明装置
を具備し、
コンピュータはメモリを具備し、
（ｂ）  裁置台に、複数の試料が収容された容器を裁置する工程、
（ｃ１）  照明装置が複数の試料を照明しながら裁置台を移動させ、観察装置６を介して各試料を探索する工程
（ｃ２）  各試料の座標をメモリに記録する工程
（ｃ３）  照明装置を消灯する工程、
（ｄ１）  照明装置が消灯されたまま、メモリから読み出された１つの試料の座標に基づいて裁置台を移動させる工程、
（ｄ２）  照明装置を点灯する工程、ここで、
工程（ｄ２）において照明装置に設定される照度は、工程（ｃ１）において照明装置に設定される照度よりも高く、
（ｄ３）  観察装置のオートフォーカス制御を実行する工程、
（ｄ４）  観察像の平均輝度が所定範囲の輝度になっていなければ、観察装置のシャッタ速度を調整する工程、
（ｄ５）  観察装置を用いて１つの試料の観察像を取得する工程、
（ｄ６）  照明装置を消灯する工程、
（ｄ７）  各試料について、工程（ｄ１）〜工程（ｄ６）を繰り返す工程、そして
（ｅ）  所定期間経過後、工程（ｄ１）〜工程（ｄ７）を繰り返す工程。
【請求項９】
請求項８に記載の方法であって、
工程（ｃ２）において、工程（ｃ１）において探索された各試料に関するズーム倍率がメモリに記憶され、かつ
工程（ｄ５）において、メモリに記憶されたズーム倍率に基づいて各試料の観察像が取得される。
【請求項１０】
請求項８に記載の方法であって、
工程（ｃ２）において、工程（ｃ１）において探索された各試料に関するフォーカス位置がメモリに記憶され、かつ
工程（ｄ５）において、メモリに記憶されたフォーカス位置に基づいて各試料の観察像が取得される。
【請求項１１】
請求項９に記載の方法であって、
工程（ｃ２）において、工程（ｃ１）において探索された各試料に関するフォーカス位置がメモリに記憶され、かつ
工程（ｄ５）において、メモリに記憶されたフォーカス位置に基づいて各試料の観察像が取得される。
【請求項１２】
請求項９に記載の方法であって、
工程（ｄ２）において、メモリに記憶されたズーム倍率に基づいて照明装置の照度を調整する。
【請求項１３】
請求項８に記載の方法であって、
工程（ｃ１）において、観察装置のシャッタ速度が観察装置において設定可能な範囲の下限値に設定されている。
【請求項１４】
試料の観察像を取得する観察システムであって、
観察システムは、観察ユニットおよびコンピュータを含み、
観察ユニットは、
複数の試料が収容された容器が裁置される裁置台、
試料の観察像を取得することが可能な観察装置、および
複数の試料を照明する照明装置
を具備し、
コンピュータはメモリを具備し、
コンピュータは、第１制御部および第２制御部を具備し、
第１制御部は、
照明装置が複数の試料を照明しながら裁置台を移動させ、観察装置６を介して各試料を探索し、
各試料の座標をメモリに記録し、かつ
照明装置を消灯し、
第２制御部は、
照明装置が消灯されたまま、メモリから読み出された１つの試料の座標に基づいて裁置台を移動させ、
照明装置を点灯し、
第１制御部が照明装置に設定する照度よりも高い照度で照明装置を点灯させ、
観察装置のオートフォーカス制御を実行し、
観察像の平均輝度が所定範囲の輝度になっていなければ、観察装置のシャッタ速度を調整し、
観察装置を用いて１つの試料の観察像を取得し、
照明装置を消灯する、観察システム。